(57)【要約】【課題】呼出操作の簡略化を図るとともに、簡易な構成で他棟の居室端末を呼び出すことができる集合住宅インターホンシステムを提供する。【解決手段】複数の居室端末１と、複数の集合玄関機２と、単一の制御装置３とを備え、夫々の集合玄関機２には、居室端末１がグループ化されて割り当てられ、夫々のグループにグループＩＤが付与されると共に居室端末１にはグループ内ＩＤが付与されている。任意の集合玄関機２からその集合玄関機２に割り当てられたグループに属する居室端末１を呼び出す場合は、グループ内ＩＤとグループＩＤとから構成される呼出番号のうちグループ内ＩＤを集合玄関機２に入力して行い、制御装置３が入力されたグループ内ＩＤに呼出操作を行った集合玄関機に付与されているグループＩＤを加えて居室端末１を呼び出す。【選択図】  図１
2004201250.tif 000002
【特許請求の範囲】
【請求項１】
複数の住居棟から成る集合住宅の各居室に設置され、訪問者からの呼び出しに応答する複数の居室端末と、各住居棟の集合玄関に設置され、居住者を呼び出して通話を行うための複数の集合玄関機と、前記居室端末及び前記集合玄関機と接続され、前記居室端末及び前記集合玄関機を制御する単一の制御装置と、を備え、
前記集合玄関機の夫々には、前記居室端末がグループ化されて割り当てられると共に、夫々のグループを認識するためのグループＩＤが付与され、任意の集合玄関機から当該集合玄関機に割り当てられたグループに属する居室端末を呼び出す場合は、居室端末に付与されている居室番号等のグループ内ＩＤと前記グループＩＤとから構成される呼出データのうちグループ内ＩＤを前記集合玄関機に入力して行い、
前記制御装置は、前記グループ内ＩＤの伝送を受けて、当該グループ内ＩＤと、呼出操作を行った集合玄関機に付与されている前記グループＩＤとに基づいて、特定された居室端末を呼び出すための制御を行うことを特徴とする集合住宅インターホンシステム。
【請求項２】
任意の集合玄関機から他の集合玄関機に割り当てられたグループの居室端末を呼び出す場合は、前記グループ内ＩＤと前記グループＩＤとから構成される呼出データの両方を入力して行い、
前記制御装置は、前記呼出データの伝送を受けて、特定された居室端末を呼び出すための制御を行うことを特徴とする請求項１記載の集合住宅インターホンシステム。
【請求項３】
前記集合玄関機は、呼出先を表示する表示部を有し、割り当てられたグループの居室端末を呼び出す場合に限り、前記呼出データのうちグループ内ＩＤのみを表示することを特徴とする請求項１又は２記載の集合住宅用インターホンシステム。
【請求項４】
前記居室端末及び前記集合玄関機に設けたＩＤ設定部に、予め割り当てられた端末ＩＤを設定すると、前記制御装置は、設定された前記端末ＩＤの少なくとも一部を前記グループＩＤとして認識することを特徴とする請求項１乃至３の何れかに記載の集合住宅インターホンシステム。
【請求項５】
前記制御装置は、前記グループＩＤを居室端末毎に設定する機能を有し、制御装置により各居室端末のグループＩＤを設定することを特徴とする請求項１乃至３の何れかに記載の集合住宅インターホンシステム。
【発明の詳細な説明】
【０００１】
【発明の属する技術分野】
本発明は、集合住宅に使用するインターホンシステムに関し、特に複数の住居棟から成る集合住宅に使用する集合住宅インターホンシステムに関する。
【０００２】
【従来の技術】
複数の住居棟から成る集合住宅に設置された従来の集合住宅インターホンシステムは、各棟毎に制御装置を設けて棟毎に集合玄関機及び居室端末を制御する構成のものが知られ、棟を越えた呼び出しを可能としたシステムは更に個々の制御装置を制御する集中制御装置を設けていた。
この集中制御装置を設けたシステムにおいて、居室に設置された居室端末の呼び出しを置数選局方式で行う場合、棟の番号と居室番号から成るＩＤ番号を個々の居室端末に設定し、集合玄関に設置された集合玄関機から呼び出したい居室に設置された居室端末のＩＤ番号の全てを入力して呼び出し操作していた（例えば、非特許文献１参照）。
【０００３】
【非特許文献１】
アイホン総合カタログ２００２／２００３年版   第２８９頁の「系統図例」
【０００４】
【発明が解決しようとする課題】
しかし、上記従来の呼出番号（ＩＤ番号）の付け方では、居室数や棟数が多くなると桁数が多くなり、そうなると利用者は入力操作を間違えやすくなり、利用者に不便を強いるものであった。また、呼出操作をする棟とは別の棟の居室端末の呼び出しを可能とするために、各棟の制御装置とは別に集中制御装置が必要であるため、インターホンシステムの構成が複雑になっていた。
そこで、本発明は上記問題点に鑑み、呼出操作の簡略化を図るとともに、簡易な構成で他棟の居室端末を呼び出すことができる集合住宅インターホンシステムを提供することを目的とする。
【０００５】
【課題を解決するための手段】
上記課題を解決するため、請求項１の発明は、複数の住居棟から成る集合住宅の各居室に設置され、訪問者からの呼び出しに応答する複数の居室端末と、各住居棟の集合玄関に設置され、居住者を呼び出して通話を行うための複数の集合玄関機と、居室端末及び集合玄関機と接続され、居室端末及び集合玄関機を制御する単一の制御装置と、を備え、集合玄関機の夫々には、居室端末がグループ化されて割り当てられると共に、夫々のグループを認識するためのグループＩＤが付与され、任意の集合玄関機から当該集合玄関機に割り当てられたグループに属する居室端末を呼び出す場合は、居室端末に付与されている居室番号等のグループ内ＩＤとグループＩＤとから構成される呼出データのうちグループ内ＩＤを集合玄関機に入力して行い、制御装置は、グループ内ＩＤの伝送を受けて、当該グループ内ＩＤと、呼出操作を行った集合玄関機に付与されている前記グループＩＤとに基づいて、特定された居室端末を呼び出すための制御を行うことを特徴とする。
このように構成することで、操作する集合玄関機のグループに属する居室端末を呼び出す場合は、例えば居室番号のようなグループ内ＩＤを入力するだけで済むので、入力桁数が少なく呼出操作が簡単となる。また、単一の制御装置で複数の住居棟に設けられた集合玄関機および居室端末を制御するので、システム構成を簡略化でき設置工事の簡易化を図ることができる。
【０００６】
請求項２の発明は、請求項１の発明において、任意の集合玄関機から他の集合玄関機に割り当てられたグループの居室端末を呼び出す場合は、グループ内ＩＤとグループＩＤとから構成される呼出データの両方を入力して行い、制御装置は、呼出データの伝送を受けて、特定された居室端末を呼び出すための制御を行うことを特徴とする。この構成により、グループ外の居室端末を呼び出す場合は、グループ内ＩＤとグループＩＤの双方を集合玄関機に入力することで容易に呼び出しできる。
【０００７】
請求項３の発明は、請求項１又は２の発明において、集合玄関機は、呼出先を表示する表示部を有し、割り当てられたグループの居室端末を呼び出す場合に限り、前記呼出データのうちグループ内ＩＤのみを表示することを特徴とする。この構成により、入力した通り表示するので訪問者がとまどうことがない。
【０００８】
請求項４の発明は、請求項１乃至３の何れかの発明において、居室端末及び集合玄関機に設けたＩＤ設定部に、予め割り当てられた端末ＩＤを設定すると、制御装置は、設定された端末ＩＤの少なくとも一部をグループＩＤとして認識することを特徴とする。この構成により、居室端末及び集合玄関機でグループＩＤが設定されるので、設置する居室端末を容易に変更でき、システムの拡張や変更に容易に対応できる。
【０００９】
請求項５の発明は、請求項１乃至３の何れかに記載の発明において、制御装置は、グループＩＤを居室端末毎に設定する機能を有し、制御装置により各居室端末のグループＩＤを設定することを特徴とする。この構成により、制御装置で個々の居室端末のグループＩＤが設定されるので、一括してＩＤ設定ができ、グループ編成の変更があっても容易に対応できる。
【００１０】
【発明の実施の形態】
以下、本発明を具体化した実施の形態を、図面に基づいて詳細に説明する。図１は本発明に係る集合住宅インターホンシステムのブロック図を示し、第１棟Ａと第２棟Ｂの２つの住居棟から成る集合住宅に適用した場合を示している。
図において、１，１・・は居室端末を示し、第１棟Ａ及び第２棟Ｂの各居室に設置されている。また、２ａは第１棟Ａの集合玄関に設置された第１集合玄関機、２ｂは第２棟Ｂの集合玄関に設置された第２集合玄関機、３はシステム全体を制御する制御装置、４は管理室Ｃに設置されたシステムを管理するための管理室親機を示している。そして、第１棟Ａの居室端末１，１・・は伝送線５ａで、第２棟Ｂの居室端末１，１・・は伝送線５ｂを介して制御装置３に接続され、第１及び第２集合玄関機２ａ，２ｂ、管理室親機４もそれぞれ制御装置３に伝送線５ｃ，５ｄ，５ｅで接続されている。尚、図１において、太線部は集合玄関機２ａ，２ｂから後述する同一グループに属する居室端末１を呼び出す呼出処理例を示している。
【００１１】
居室端末１は、図２のブロック図に示すように構成され、個々の居室端末１を認識するためのＩＤを設定する例えばＤＩＰスイッチから成るＩＤ設定部８、テンキー等を有する操作部９、呼び出し或いは操作状態を表示する表示部１０、集合玄関機２との間で通話を可能とする音声回路１１を有し、これらは居室端末ＣＰＵ１２により制御され、居室端末ＣＰＵ１２は、システム内の他の機器と通信をするための通信回路１３を介して伝送線５ａ又は伝送線５ｂに接続されている。
【００１２】
第１及び第２集合玄関機２ａ，２ｂは、同一の構成であり以下単に集合玄関機２として説明する。集合玄関機２は、図３のブロック図に示すよう構成され、個々の集合玄関機２を認識するためのＩＤを設定する例えばＤＩＰスイッチから成るＩＤ設定部１５、テンキー等を有する操作部１６、呼び出し或いは操作状態を表示する表示部１７、居室端末１との間で通話をするための音声回路１８を有し、これらは集合玄関機ＣＰＵ１９により制御される。この集合玄関機ＣＰＵ１９は、システム内の他の機器と通信をするための通信回路２０を介して伝送線５ｃ又は伝送線５ｄに接続されている。尚、このシステムは置数選局方式が採用され操作部１６のテンキーにより居室端末１の呼出操作が成されるよう構成されている。
【００１３】
制御装置３は、図４に示すように構成され、グループＩＤを設定する例えばテンキーから成るグループＩＤ設定部２２、制御装置ＣＰＵ２３を有し、制御装置ＣＰＵ２３はシステム内の他の機器と通信をするための通信回路２４を介して各機器に接続されている。
【００１４】
次に、上記構成のシステムの各居室端末１の呼出データである呼出番号の設定について説明する。まず、図１に示すように、集合玄関機２別にグループ分けが成され、第１集合玄関機２ａを有する第１棟Ａは第１グループとし、例えばグループＩＤとして番号「１」が付与される。また、第２集合玄関機２ｂを有する第２棟Ｂは、第２グループとし、例えばグループＩＤとして番号「２」が付与される。そして、各居室端末１にはグループ内ＩＤとして設置した居室番号が付与され、例えば居室番号「１０１」の居室端末１のグループ内ＩＤは番号「１０１」が付与されている。
このようにグループＩＤ及びグループ内ＩＤを設定することで、例えば第１棟Ａの１０１号室に設置された居室端末１は、部屋番号の頭にグループＩＤを加えた番号が、即ちグループＩＤである番号「１」を１０００の位に加えた番号「１１０１」が呼出番号となる。また、第２棟Ｂの１０１号室に設置された居室端末１は、同様にグループＩＤ「２」を１０００の位に加えた番号「２１０１」が呼出番号となる。
尚、ここでは各棟に集合玄関機が１台備えられているので、各棟毎にグループＩＤが付与されているが、各棟に複数の集合玄関機が備えられている場合はグループ分けを棟別に限定する必要はない。
【００１５】
居室端末１の呼出操作とシステム動作は以下のようになる。まず、同一グループに属する居室端末１を呼び出す場合を図５のデータシーケンス図を基に説明する。図５では、呼出操作をする集合玄関機２のグループＩＤが「１」の第１集合玄関機２ａで、呼び出す居室端末１が同一グループであり、グループ内ＩＤが「１０１」とした場合、即ち呼び出す居室端末１の呼出番号が「１１０１」の場合のデータシーケンスを示している。
図５に示すように、まず集合玄関機２の操作部１６を操作して、番号「１０１」を入力する。すると制御装置３が入力した数値毎に応答して、集合玄関機２の表示部１７にその都度数値を表示させ、最終的に「１０１」を表示させる。そして、集合玄関機２の「呼」ボタン（図示せず）を押すと、制御装置３は呼出操作したグループに属する居室端末１の呼び出しであると判断して、１０００の位にグループＩＤの「１」を加えて呼出番号を「１１０１」とし、呼び出しをかける。尚、このとき、表示部１７の表示は「１０１」のままである。この呼び出しにより、グループＩＤ「１」の中のグループ内ＩＤ「１０１」の居室端末が応答して呼出動作する。
そして、居住者が居室端末１のハンドセットをアップする等の操作をしたら、制御装置３は呼出操作をした集合玄関機２と番号「１１０１」の居室端末１を通話設定し、通話が可能となる。
【００１６】
このように、同一グループに属する居室端末１を呼び出す場合はグループＩＤを入力せずに呼び出すことができ、簡単な操作で呼び出しできる。
尚、図１に示すように、グループＩＤが「２」の集合玄関機を操作し、同一グループの１０１号室を呼び出す場合は、「１０１」を入力することで、制御装置３はグループＩＤ「１」と同様に１０００の位に２を付加して、呼出番号を「２１０１」として呼出操作をする。更に図１では、管理室親機４は何れのグループにも属していないため、グループ内ＩＤの入力だけでは、何れの居室端末１も呼び出しできないことを示している。
【００１７】
また、図５のデータシーケンス図では、制御装置３にてグループＩＤを付加しているが、集合玄関機２にてグループＩＤを付加させても良い。この場合、図６のデータシーケンス図に示すように、集合玄関機２にて「１０１」を押し、その後「呼」ボタンを押すと、集合玄関機２は同一のグループの呼び出しと判断して「１」を１０００に位に付加して「１１０１」の呼出信号を制御装置３に送る。すると、制御装置３はその番号で呼び出しをかける。以下上記と同様の動作で集合玄関機２と居室端末１の間で通話が可能となる。
【００１８】
次に、呼出操作をする集合玄関機２とは異なるグループの居室端末１を呼び出す場合の処理を図８を基に説明する。図８はグループＩＤを含めて集合玄関機２に入力する場合の呼出処理動作をシステムのブロック図上に示した図であり、まず、第２棟Ｂの第２集合玄関機２ｂを操作して、第１棟Ａの１０１号室を呼び出す場合を説明すると、全呼出番号「１１０１」を入力した後、「呼」のボタンを押す。この操作で、制御装置３は４桁の数値入力を検知し、グループＩＤの数字を加えず、そのまま「１１０１」で呼び出しをかける。そして、その呼出番号の居住者が居室端末１のハンドセットをアップしたら、制御装置３は呼出操作をした集合玄関機２と番号「１１０１」の居室端末１を通話設定し、通話が可能となる。
また、図８では、第１集合玄関機２ａで全呼出番号である例えば「１１０１」を入力してから「呼」のボタンを押しても、同一グループの居室端末１を呼び出しでき、管理室親機４からも同様に全呼出番号を入力すれば呼び出しできることを示している。尚、このとき表示部１７には入力操作した番号「１１０１」がそのまま表示される。
【００１９】
このように、グループＩＤを加えた全呼出番号を入力することで、他のグループの居室端末１であっても容易に呼び出しでき、制御装置３は集合玄関機２の呼出操作を受けて、図７のフローチャートに示す動作をする。即ち、入力数値と「呼」ボタン操作を受けて、制御装置３は入力数値の桁数を判断（Ｓ１）し、３桁以下であれば１０００の位に呼出操作をした集合玄関機のグループＩＤを付加（Ｓ２）して呼出処理をする（Ｓ３）し、４桁の入力であれば、その入力数値のまま呼出操作をする。
こうして、グループ毎に同一のグループ内ＩＤを設けても（例えば棟毎に同一の居室番号を設けても）１台の制御装置による呼出操作が可能となる。
【００２０】
次に、グループＩＤやグループ内ＩＤの設定方法について説明する。グループＩＤやグループ内ＩＤの設定は、居室端末１や集合玄関機２で設定しても、制御装置３で一括設定しても良い。
居室端末１や集合玄関機２側で設定する場合は、居室端末１のＩＤ設定部８が４ビットのＤＩＰスイッチ３個から成る場合、最初の第１ＤＩＰスイッチをグループＩＤ設定用、第２と第３ＤＩＰスイッチをグループ内ＩＤ設定用として、例えば設定を順に数値「１」，「１」，「１」に設定したら、制御装置３が先頭の番号からグループＩＤを数値「１」と認識し、次の２つの番号からグループ内ＩＤとして数値「１０１」と認識するように、また、居室端末１の設定を数値「２」，「１」，「１」に設定したら、制御装置３が先頭の番号からグループＩＤを数値「２」と認識し、グループ内ＩＤを数値「１０１」と認識するように関連付けることで容易に設定できる。
【００２１】
このように、居室端末１や集合玄関機２で設定したＩＤの一部をグループＩＤとして制御装置３が認識することで、グループＩＤ及びグループ内ＩＤの双方を居室端末１及び集合玄関機２にて設定でき、システムの拡張や変更に容易に対応できる。尚、夫々の集合玄関機２にグループが割り当てられるので、集合玄関機２で設定したＩＤは、そのＩＤ全体をグループＩＤとして使用すると都合が良い。
また、制御装置３で設定する場合は、グループＩＤと居室端末１のＩＤを関係づけて制御装置３に記憶させることで実施できる。任意に設定した居室端末１個々のＩＤに対して任意のグループＩＤ及びグループ内ＩＤの設定ができ、制御装置３で個々の居室端末１のグループＩＤ及びグループ内ＩＤを設定可能とすることで、一括して設定でき、グループ編成の変更があっても容易に対応できる。
【００２２】
以上説明したように、操作する集合玄関機のグループに属する居室端末を呼び出す場合は、例えば居室番号のようなグループ内ＩＤを入力するだけで済むので、入力桁数が少なく呼出操作が簡単になる。
また、単一の制御装置で複数の住居棟に設けられた集合玄関機および居室端末を制御できるので、システム構成を簡略化でき設置工事の簡易化を図ることができる。そして、グループ外の居室端末を呼び出す場合は、グループ内ＩＤとグループＩＤの双方を合わせた全呼出番号を集合玄関機に入力することで、グループ外の居室端末であっても容易に呼び出しできる。
更に、集合玄関機の表示部は、入力操作した番号のみを表示するので、グループ内ＩＤのみの入力の場合は、呼び出す居室端末の全ＩＤを表示することがなく、訪問者が戸惑うことがない。
【００２３】
尚、上記実施の形態は、２棟から成る集合住宅について説明しているが、更に多くの棟から構成されても本発明のシステムは容易に対応できるし、グループＩＤを１桁、グループ内ＩＤを３桁として呼出データを設定したが、桁数の変更も容易に実施できる。
【００２４】
【発明の効果】
以上詳述したように、本発明によれば、操作する集合玄関機と同一のグループに属する居室端末を呼び出す場合は、グループ内ＩＤの入力操作だけで良く、例えば住居棟毎に同一番号の居室が存在しても、呼び出す居室のある棟の集合玄関機からは、その居室番号のみ入力すれば呼び出しでき、呼出操作の簡略化を図ることができる。そして、グループ外の居室を呼び出す場合は、グループＩＤを加えて入力すれば呼び出しできる。
また、全ての棟の居室端末及び集合玄関機を単一の制御装置で制御するので、システム構成を簡略化でき、設置工事の簡易化を図ることができる。
【図面の簡単な説明】
【図１】本発明の実施の形態の一例を示す集合住宅インターホンシステムのブロック図であり、太線は集合玄関機からグループ内居室端末を呼び出す呼出処理例である。
【図２】図１の居室端末のブロック図である。
【図３】図１の集合玄関機のブロック図である。
【図４】制御装置のブロック図である。
【図５】集合玄関機から居室端末を呼び出すデータシーケンス図を示し、制御装置によりグループＩＤを付加する場合の説明図である。
【図６】集合玄関機から居室端末を呼び出すデータシーケンス図を示し、集合玄関機によりグループＩＤを付加する場合の説明図である。
【図７】集合玄機の呼出操作による制御装置の動作フローを示す図である。
【図８】図１の集合住宅インターホンシステムの集合玄関機から、グループ外の居室端末を呼び出す処理例の説明図である。
【符号の説明】
１・・居室端末、２・・集合玄関機、２ａ・・第１集合玄関機、２ｂ・・第２集合玄関機、３・・制御装置、８・・ＩＤ設定部、９・・操作部、１５・・ＩＤ設定部、１６・・操作部、１７・・表示部、２２・・グループＩＤ設定部。
【図１】
2004201250.tif 000003
【図２】
2004201250.tif 000004
【図３】
2004201250.tif 000005
【図４】
2004201250.tif 000006
【図５】
2004201250.tif 000007
【図６】
2004201250.tif 000008
【図７】
2004201250.tif 000009
【図８】
2004201250.tif 000010